(57)【特許請求の範囲】
【請求項１】
操作対象配管内で操作可能な管内操作具を外囲するように金属材料を螺旋形状に成形した螺旋状挿入治具を内部に挿通可能で前記操作対象配管に連通接続可能な挿入補助配管を備え、前記挿入補助配管が管軸方向で一方側から他方側への気体の通流を阻止する水封器を有する管内操作具案内装置であって、
前記挿入補助配管は、前記操作対象配管への接続部と前記水封器との間に、内部を挿通する前記螺旋状挿入治具を屈曲させる屈曲配管部と、内部を挿通する前記螺旋状挿入治具の水切りを行う水切配管部とを有する管内操作具案内装置。
【請求項２】
前記挿入補助配管は、前記屈曲配管部と、前記水切配管部とを、前記螺旋状挿入治具の挿入方向で基端側から順に備える請求項１に記載の管内操作具案内装置。
【請求項３】
前記水切配管部は、管内径が小径の小径水切配管部位と、管内径が前記小径水切配管部位の管内径よりも大径の大径水切配管部位とを、前記螺旋状挿入治具の挿入方向で基端側から先端側へ向けて順に有する請求項１又は２に記載の管内操作具案内装置。
【請求項４】
前記屈曲配管部の管内径は、前記大径水切配管部位の管内径よりも小径に構成されている請求項３に記載の管内操作具案内装置。
【請求項５】
前記水切配管部が、前記螺旋状挿入治具を鉛直方向に沿う姿勢である直立姿勢にさせる縦配管部であることを特徴とする請求項１〜４の何れか一項に記載の管内操作具案内装置。
【請求項６】
前記水封器を構成する水封配管部は、屈曲部位を有しており、
前記水封配管部の屈曲部位の曲率は、前記屈曲配管部の屈曲部位の曲率よりも小さく構成されている請求項１〜５の何れか一項に記載の管内操作具案内装置。
【請求項７】
前記屈曲配管部は、その管軸方向が９０°屈曲する請求項１〜６の何れか一項の管内操作具案内装置。
【請求項８】
前記螺旋状挿入治具を軸心周りで回転させながら、前記挿入補助配管へ挿入する回転挿入機構を有する請求項１〜７の何れか一項に記載の管内操作具案内装置。
【請求項９】
請求項１〜８の何れか一項に記載の管内操作具案内装置の操作方法であって、
前記螺旋状挿入治具の先端部を、少なくとも前記挿入補助配管の前記水封器よりも前記接続部側へ予備挿入する予備挿入工程と、
前記水封器に水を流入させる水流入工程と、
前記螺旋状挿入治具を軸心周りで回転させながら挿入させる本挿入工程とを、記載の順に実行する操作方法。
【発明の詳細な説明】
【技術分野】
【０００１】
本発明は、操作対象配管内で操作可能な管内操作具を外囲するように金属材料を螺旋形状に成形した螺旋状挿入治具を内部に挿通可能で前記操作対象配管に連通接続可能な挿入補助配管を備え、前記挿入補助配管が管軸方向で一方側から他方側への気体の通流を阻止する水封器を有する管内操作具案内装置、及びその操作方法に関する。
【背景技術】
【０００２】
従来、操作対象配管としてのガス管の内部において、ガス管の内部での滞留水等の有無の確認、滞留水の抽出、ガス管の遮断及び経路調査等を実行するべく、管内に種々の管内操作具を案内挿入する管内操作具案内装置が知られている。
例えば、管内操作具案内装置が案内する管内操作具としては、ガス管の内部での滞留水等の有無を確認するカメラや水分検知センサ、滞留水の抽出を行う吸引ポンプ、ガス管の遮断を行うガスバッグ及び経路調査を行うためのジャイロが知られている。
このような管内操作具を案内する管内操作具案内装置としては、特許文献１に示すように、管内操作具を外囲するように金属材料を螺旋形状に成形した螺旋状挿入治具と、螺旋状挿入治具を内部に挿通可能で操作対象配管に連通接続可能な挿入補助配管とを備え、挿入補助配管が管軸方向で一方側から他方側への気体の通流を阻止するべく水を充填した略Ｖ字形状の屈曲管からなる水封器を備えたものが知られている。
当該特許文献１に開示の技術にあっては、操作対象配管としてのメータコックを閉止状態とすると共に、当該メータコックの下流側部位に挿入補助配管を接続して、メータコックを開放状態とする。このとき、水封器には水が充填されているため、操作対象配管としてのガス管を通流する都市ガスが挿入補助配管を通過して外部に漏出することを良好に防止した状態を維持できる。その後、接続された挿入補助配管に対して、螺旋状挿入治具に外囲された管内操作具を挿入することで、ガス漏れを防止しながらも、管内操作具を操作対象配管の内部へ案内している。
特に、管内操作具は、その挿入に際し、螺旋状挿入治具に外囲された状態で、螺旋状挿入治具をその軸心方向で回転させながら、押圧挿入されるから、挿入補助配管や操作対象配管の屈曲部位に存在する段差を良好に乗り越えて、管内を進行するようになっている。
【先行技術文献】
【特許文献】
【０００３】
【特許文献１】特開平９−１５９１００号公報
【発明の概要】
【発明が解決しようとする課題】
【０００４】
しかしながら、上記特許文献１に開示の管内操作案内装置にあっては、略筒形状を有する螺旋状挿入治具は、略Ｖ字形状で水が充填された水封器を通過する際に屈曲した状態で浸水することとなり、屈曲した際に形成される螺旋の隙間から水が内部に入ることとなる。このように螺旋状挿入治具の内部の水は、操作対象配管の内部に漏れ出る虞があり、改善の余地があった。
【０００５】
本発明は、上述の課題に鑑みてなされたものであり、その目的は、水封器を挿入補助配管に設けてガスの漏出を防止する構成において、螺旋状挿入治具により外囲された管内操作具を挿入補助配管の水封器を介して、操作対象配管の内部に案内挿入する場合にも、水封器の水の操作対象配管の内部への流入を良好に防止し得る管内操作具案内装置、及びその操作方法を提供する点にある。
【課題を解決するための手段】
【０００６】
上記目的を達成するための管内操作具案内装置は、
操作対象配管内で操作可能な管内操作具を外囲するように金属材料を螺旋形状に成形した螺旋状挿入治具を内部に挿通可能で前記操作対象配管に連通接続可能な挿入補助配管を備え、前記挿入補助配管が管軸方向で一方側から他方側への気体の通流を阻止する水封器を有する管内操作具案内装置であって、その特徴構成は、
前記挿入補助配管は、前記操作対象配管への接続部と前記水封器との間に、内部を挿通する前記螺旋状挿入治具を屈曲させる屈曲配管部と、内部を挿通する前記螺旋状挿入治具の水切りを行う水切配管部とを有する点にある。
【０００７】
上記特徴構成によれば、挿入補助配管が、操作対象配管への接続部と水封器との間に、内部を挿通する螺旋状挿入治具を屈曲させる屈曲配管部と、内部を挿通する螺旋状挿入治具の水切りを行う水切配管部とを備えるから、水封器を通過した螺旋状挿入治具は、まずもって、屈曲配管部にて屈曲されることで、螺旋間に隙間が形成され、その隙間から螺旋状挿入治具の内部の水を外部へ吐き出させることができる。このとき、例えば、螺旋状挿入治具を軸心周りに回転させながら挿入することで、その遠心力も加わって、内部の水を外部へ良好に吐き出させることができる。
更に、上記特徴構成によれば、螺旋状挿入治具が、水切配管部を通過する形態で、螺旋状挿入治具の内部の水を螺旋状挿入治具の外部へ流下させることができるから、その内部から一層水を除去できる。このとき、例えば、螺旋状挿入治具を軸心周りに回転させながら挿入することで、螺旋状挿入治具を適当に加振して、内部の水をより良好に振るい落すことができ、加えて、外面に付着した水滴をも良好に振るい落すことができる。
以上の構成により、水封器を挿入補助配管に設けてガスの漏出を防止する構成において、螺旋状挿入治具により外囲された管内操作具を挿入補助配管の水封器を介して、操作対象配管の内部に案内挿入する場合にも、水封器の水の操作対象配管の内部への流入を良好に防止し得る管内操作具案内装置を実現できる。
【０００８】
管内操作具案内装置の更なる特徴構成は、
前記挿入補助配管は、前記屈曲配管部と、前記水切配管部とを、前記螺旋状挿入治具の挿入方向で基端側から順に備える点にある。
【０００９】
上記特徴構成によれば、水切配管部を通過することで、鉛直方向で下方に振い落した螺旋状挿入治具の内部の水は、屈曲配管部に位置する螺旋状挿入治具の基端側部位に導いて、当該屈曲配管部にて屈曲され形成された隙間から、良好に外部へ吐き出させることができる。
【００１０】
管内操作具案内装置の更なる特徴構成は、
前記水切配管部は、管内径が小径の小径水切配管部位と、管内径が前記小径水切配管部位の管内径よりも大径の大径水切配管部位とを、前記螺旋状挿入治具の挿入方向で基端側から先端側へ向けて順に有する点にある。
【００１１】
上記特徴構成によれば、水切配管部として、管内径が小径の小径水切配管部位と、管内径が小径水切配管部位の管内径よりも大径の大径水切配管部位とを、螺旋状挿入治具の挿入方向で基端側から先端側へ向けて順に有する構成を採用するから、例えば、螺旋状挿入治具を軸心周りで回転させながら挿入する際に、挿入方向で基端側に位置する小径水切配管部位で螺旋状挿入治具の軸を決めつつ、大径水切配管部位にて軸心に直交する方向での振動幅を大きくでき、螺旋状挿入治具を良好に加振できる。
【００１２】
管内操作具案内装置の更なる特徴構成は、
前記屈曲配管部の管内径は、前記大径水切配管部位の管内径よりも小径に構成されている点にある。
【００１３】
上記特徴構成によれば、例えば、屈曲配管を特定の曲率で屈曲させている状況において、屈曲配管部の管内径を、大径水切配管部位の管内径よりも小径に構成することで、大径水切配管部位の管内径と同径若しくは大径に構成する場合に比べ、内部を通過する螺旋状挿入治具を大きい曲率で屈曲でき、屈曲配管部において、螺旋の隙間を十分に形成して、内部の水を外部へ良好に吐き出させることができる。
【００１４】
管内操作具案内装置の更なる特徴構成は、
前記水切配管部が、前記螺旋状挿入治具を鉛直方向に沿う姿勢である直立姿勢にさせる縦配管部である点にある。
【００１５】
上記特徴構成によれば、螺旋状挿入治具が、縦配管部を通過する形態で、直立姿勢を取るから、螺旋状挿入治具の内部の水が鉛直方向で下方側へ流下して、その内部から一層水を除去できる。
尚、当該発明において、縦配管部は、鉛直方向に沿う方向としたが、当該鉛直方向に沿う方向とは、当該明細書にあっては、鉛直方向のみならず、鉛直方向から所定角度（例えば、４５°程度）傾いているものも含むものとする。
【００１６】
管内操作具案内装置の更なる特徴構成は、
前記水封器を構成する水封配管部は、屈曲部位を有しており、
前記水封配管部の屈曲部位の曲率は、前記屈曲配管部の屈曲部位の曲率よりも小さく構成されている点にある。
【００１７】
上記特徴構成によれば、水封配管部の屈曲部位の曲率を、屈曲配管部の屈曲部位の曲率よりも小さく構成することで、螺旋状挿入治具が水封配管部を通過する際に、螺旋間に形成される隙間を小さく保つことができると共に、螺旋状挿入治具が屈曲配管部の屈曲部位を通過する際に、螺旋間に形成される隙間を大きく保つことができる。
これにより、螺旋状挿入治具が水封配管部を通過する際に、螺旋状挿入治具の内部に進入する水量を低減しつつも、屈曲配管部を通過する際に、内部から吐き出す水量を増加させて、螺旋状挿入治具の内部から良好に水を外部に吐き出させることできる。
尚、水封配管部の管内径を、屈曲配管部の管内径よりも大径に構成することで、水封配管部の内部を通過する螺旋状挿入治具を、螺旋状挿入治具が水封配管部を通過する際に、より一層、螺旋間に形成される隙間を小さく保つことができると共に、螺旋状挿入治具が屈曲配管部の屈曲部位を通過する際に、より一層、螺旋間に形成される隙間を大きく保つことができる。
【００１８】
管内操作具案内装置の更なる特徴構成は、
前記屈曲配管部は、その管軸方向が９０°屈曲する屈曲部位を有する点にある。
【００１９】
上記特徴構成によれば、屈曲配管部において管軸方向が９０°屈曲する屈曲部位を備えることで、螺旋状挿入治具の螺旋間に、良好に隙間を形成することができる。尚、当該屈曲部位が９０°曲がることで、螺旋状挿入治具での当該屈曲配管部の屈曲部位での引っ掛かりを生じつつも、良好に挿入を続けることができる。
【００２０】
これまで説明してきた管内操作具案内装置は、前記螺旋状挿入治具を軸心周りで回転させながら、前記挿入補助配管へ挿入する回転挿入機構を有することが好ましい。
例えば、電動モータ等による回転挿入機構を用いて、螺旋状挿入治具を軸心回りで回転させながら挿入することで、比較的高い回転速度で回転させながら、螺旋状挿入治具を回転させることができ、屈曲配管部及び水切配管部（又は縦配管部）での水切りを、より一層良好に実行することができる。
また、例えば、ロータリーエンコーダ―機能を付与することで、螺旋状挿入治具の先端部までの距離を適切に把握しながら、挿入を実行することができる。
【００２１】
これまで説明してきた管内操作具案内装置の操作方法の特徴構成は、
前記螺旋状挿入治具の先端部を、少なくとも前記挿入補助配管の前記水封器よりも前記接続部側へ予備挿入する予備挿入工程と、
前記水封器に水を流入させる水流入工程と、
前記螺旋状挿入治具を軸心周りで回転させながら挿入させる本挿入工程とを、記載の順に実行する点にある。
【００２２】
螺旋状挿入治具は、通常、カメラやガスバッグ等の管内操作具を先端側から外部へ送り出すべく、先端側が開放した形状を有している。
当該構成を有する螺旋状挿入治具の開放した先端部を、水が充填された水封器を通過させると、螺旋状挿入治具の内部に多くの水が流入してしまい、好ましくない。
そこで、上記特徴構成にあっては、まず、予備挿入工程において、螺旋状挿入治具の先端部を、少なくとも挿入補助配管の水封器よりも接続部側へ予備挿入させた後に、水封器に水を流入させる水流入工程を実行し、当該水流入工程を実行した後に、螺旋状挿入治具の本挿入工程を実行させるから、螺旋状挿入治具の先端部が水封器が通過することがなく、螺旋状挿入治具の内部に水封器の水が大量に流入することを防止できる。
その後、屈曲配管部と水切配管部（又は縦配管部）とにより、螺旋状挿入治具の内部の水を振い落すことで、より一層、操作対象配管への水の流入を防止できる。
【図面の簡単な説明】
【００２３】
【図１】実施形態に係る管内操作具案内装置の全体構成図
【図２】実施形態に係る挿入補助配管の概略構成図
【図３】別実施形態に係る挿入補助配管の概略構成図
【発明を実施するための形態】
【００２４】
本発明の実施形態に係る管内操作具案内装置１００、及びその操作方法は、図１に示すように、水封器３２を挿入補助配管３０に設けて、操作対象配管としてのガス本支管４４及び供内管４２に対して当該挿入補助配管３０を接続する構成で、ガス本支管４４の都市ガス等が挿入補助配管３０を介して外部に漏れ出すことを防止しつつも、ガス本支管４４の内部へ管内操作具としてのガスバッグ５０を良好に案内挿入し得るものに関する。
【００２５】
当該実施形態に係る管内操作具案内装置１００は、操作対象配管としてのガス本支管４４及び供内管４２の内部で操作可能なガスバッグ５０等の管内操作具を外囲するように金属材料を螺旋形状に成形した螺旋状挿入治具６０と、当該螺旋状挿入治具６０を内部に挿通可能で供内管４２に連通接続可能な挿入補助配管３０とを備え、挿入補助配管３０が管軸方向で一方側から他方側への気体の通流を阻止する水封器（具体的には、水封配管部３２）を有し、挿入補助配管３０は、供内管４２との接続部と水封器との間に、内部を挿通する螺旋状挿入治具６０を屈曲させる屈曲配管部３３と、内部を挿通する螺旋状挿入治具６０を鉛直方向に沿う姿勢である直立姿勢にさせる縦配管部３４（水切配管部の一例）とを有する。
尚、当該実施形態における挿入補助配管３０、供内管４２及び本支管４４に関し、螺旋状挿入治具６０の挿入方向で基端側を、基端側と呼ぶこととし、螺旋状挿入治具６０の挿入方向で先端側を、先端側と呼ぶこととする。
【００２６】
更に、管内操作具案内装置１００は、螺旋状挿入治具６０を内部に収容するワイヤ収納ボックス１０ａと、管内操作具としてガス本支管４４の内部を撮像するカメラを設ける場合に、当該カメラの撮像データを表示するモニタ１０ｂとを有する移動式のワイヤ収納型モニタ台１０を備えている。
上記挿入補助配管３０には、ワイヤ収納ボックス１０ａから取り出された螺旋状挿入治具６０を、電動式モータにて回転されるローラ（図示せず）にて挟持して、軸心回りで回転すると共に軸心に沿う方向に移動させる回転挿入機構２０を備えている。当該回転挿入機構２０は、エンコーダ式のものを採用することができ、螺旋状挿入治具６０の送り込み量を精度良く把握することができる。
因みに、屈曲配管部３３及び縦配管部３４にて良好な水切りを実施するためには、螺旋状挿入治具６０の軸心回りの回転速度は２００ｒｐｍ以上１０００ｒｐｍ以下程度が好ましい。
【００２７】
螺旋状挿入治具６０は、断面が矩形のバネ弾性を有する金属材料を螺旋状に成形することで形成されるものであり、その外周表面には、摩擦抵抗を低減するべく潤滑メッキを施している。
当該螺旋状挿入治具６０は、ガスバッグ５０のガスバッグ本体５０ａ等の管内操作具を外囲する先端側大径部６０ｂ及び６０ｃと、当該先端側大径部６０ｂ及び６０ｃへ基端側からの押込み力を伝達するための基端側小径部６０ｄとを、先端側から記載の順に備えている。
更に、先端側大径部は、単位軸長さ辺りの螺旋密度が低い螺旋低密度部位６０ｂと、螺旋密度が高い螺旋高密度部位６０ｃとを、先端側から記載の順に設けている。即ち、先端部に螺旋低密度部位６０ｂを有することで、本支管４４や供内管４２の内部の屈曲部位に形成されることがある段差を、良好に乗り越えることができる。
尚、先端側大径部の螺旋低密度部位６０ｂは、その先端開口部６０ａに先端開口部６０ａを備えており、当該先端開口部６０ａからは管内操作具を先端側へ送り出せるように構成されている。
尚、当該実施形態にあっては、螺旋状挿入治具６０の先端側大径部６０ｂ、６０ｃの外形は１８ｍｍで、管内径が１６ｍｍであり、基端側小径部６０ｄの外形は１０ｍｍで、管内径が８ｍｍとしており、挿入補助配管３０の最小管内径２０ｍｍよりも小径に構成している。
【００２８】
ここで、管内操作具について、補足説明しておくと、当該実施形態においては、ガスバッグ５０として構成されており、当該ガスバッグ５０は、その先端側に、ガスバッグ本体５０ａを有すると共に、当該ガスバッグ本体５０ａに空気を供給するエア供給チューブ５０ｂを有する。当該ガスバッグ５０は、図１のガス本支管４４の内部に二点鎖線で示すように、エア供給チューブ５０ｂから空気が圧送されると、ガスバッグ本体５０ａが膨張して、ガス本支管４４の内部を密封し、ガス本支管４４の上流側から下流側へのガスの流通を防止する。
【００２９】
挿入補助配管３０は、図１、２に示すように、図示しない支持枠により地面上で支持されており、螺旋状挿入治具６０を挿入する挿入端から供内管４２との接続部まで（螺旋状挿入治具６０の挿入方向）において、回転挿入機構２０が設けられる基端側配管部３１と、先端側と基端側との間でのガスの流通を阻止する水封器として働く水封配管部３２と、内部を挿通する螺旋状挿入治具６０の水切り機能を有する屈曲配管部３３と、同じく内部を挿通する螺旋状挿入治具６０の水切り機能を有する縦配管部３４と、水封器への水を流入する水流入部及びガス圧を計測する圧力計３７を有する先端側配管部３８と、先端側配管部３８と供内管４２の接続部とを連通接続するフレキシブル接続配管部３５とを、記載の順に備えて構成されている。
因みに、フレキシブル接続配管部３５は、供内管４２のメータコック４１を閉止状態にした後、供内管４２とガスメータ４０とを連通接続する接続配管を取り外し、供内管４２
に連通接続される。この後、メータコック４１が開放状態とされ、螺旋状挿入治具６０が供内管４２へ挿入される。
【００３０】
水封配管部３２は、基端側から先端側へ順に、管軸方向が９０°屈曲する第１ベンド配管部３２ａと、直管形状の直管状配管部３２ｃと、管軸方向が９０°屈曲する第２ベンド配管部３２ｂとが設けられており、その基端側端部と先端側端部との双方は、鉛直方向で上方を向くように構成されている。これにより、当該水封配管部３２に流入された水は、当該水封配管部３２の基端側及び先端側に流れ出ない構成となっている。
当該実施形態にあっては、水封配管部３２の管内径は、基端側配管部３１の管内径よりも大径に構成されており、管内径Φ１は４０ｍｍ以上５０ｍｍ以下程度となっている。尚、第１ベンド配管部３２ａと第２ベンド配管部３２ｂとは、同一の曲率に設定することが好ましい。
【００３１】
屈曲配管部３３は、基端側から先端側へ順に、管軸方向が９０°屈曲するエルボで構成される第１屈曲配管部位３３ａと、管軸方向が９０°屈曲するエルボで構成される第２屈曲配管部位３３ｂとが設けられており、第１屈曲配管部位３３ａの基端側端部は、鉛直方向で下方を向くと共に、第２屈曲配管部位３３ｂの先端側端部は、鉛直方向で上方を向くように構成されている。当該実施形態にあっては、屈曲配管部３３の管内径Φ２は２５ｍｍ程度に構成されると共に、第１屈曲配管部位３３ａと第２屈曲配管部位３３ｂとは、同一曲率に設定されている。
当該構成により、螺旋状挿入治具６０は、図２に示すように、屈曲配管部３３の第１屈曲配管部位３３ａを通過する部位（図２でαで示す部位）で屈曲することにより、屈曲方向と反対側の螺旋間で隙間が形成されると共に、同様に、第２屈曲配管部位３３ｂを通過する部位（図２でβで示す部位）に螺旋間で隙間が形成され、これらの部位から、内部の水を外部へ吐き出させることができる。
【００３２】
尚、水封配管部３２と屈曲配管部３３との曲率の関係を示しておくと、水封配管部３２の第１ベンド配管部３２ａ及び第２ベンド配管部３２ｂの曲率は、屈曲配管部３３の第１屈曲配管部位３３ａ及び第２屈曲配管部位３３ｂの曲率よりも小さく構成されている。
【００３３】
縦配管部３４は、その管軸方向が鉛直方向に一致するように配設されており、基端側から先端側へ順に、管内径が小径の第１小径縦配管部位３４ａ（小径水切配管部位の一例）と、管内径が第１小径縦配管部位３４ａよりも大径の大径縦配管部位３４ｂ（大径水切配管部位の一例）と、管内径が第１小径縦配管部位３４ａと同一の第２小径縦配管部位３４ｃ（小径水切配管部位の一例）とを備えて構成されている。
因みに、当該実施形態にあっては、第１小径縦配管部位３４ａと第２小径縦配管部位３４ｃの管内径は、屈曲配管部３３の管内径Φ２と同一であり、大径縦配管部位３４ｂの管内径Φ３は、屈曲配管部３３の管内径Φ２より大径であり、４０ｍｍ以上５０ｍｍ以下程度に設定されている。
当該縦配管部３４を螺旋状挿入治具６０を軸心周りで回転させながら挿入する場合、図２に示すように、基端側に位置する小径縦配管部位３４ａで螺旋状挿入治具６０の軸を決めつつ、大径縦配管部位３４ｂにて螺旋状挿入治具６０の軸心に直交する方向での振動幅を大きくでき、螺旋状挿入治具６０を良好に加振でき、螺旋状挿入治具６０の内外表面に付着する水を良好に基端側へ振り落す機能を発揮する。
【００３４】
〔操作方法〕
これまで説明してきた管内操作具案内装置１００の操作方法としては、供内管４２のメータコック４１を閉止状態として、供内管４２に挿入補助配管３０を接続する。
その後、メータコック４１の閉止状態を維持した状態で、螺旋状挿入治具６０の先端部を、挿入補助配管３０の水封配管部３２よりも、供内管４２の接続部側へ予備挿入する予備挿入工程を実行する。その後、水流入部３６から水封配管部３２に水を流入させる水流入工程を実行した後に、メータコック４１を開放状態とする。その後、螺旋状挿入治具６０を軸心周りで回転させながら挿入させる本挿入工程を実行する。
これにより、螺旋状挿入治具６０の先端開口部６０ａが水封配管部３２の水に進入して、先端開口部６０ａから螺旋状挿入治具６０の内部に水が大量に入ることを良好に防止できる。その後、本挿入工程を実行することにより、屈曲配管部３３と縦配管部３４とにより、螺旋状挿入治具６０の内部の水を振い落すことで、より一層、ガス本支管４４への水の流入を防止できる。
【００３５】
〔別実施形態〕
（１）上記実施形態において、管内操作具は、ガスバッグ５０とする構成例を示した。しかしながら、例えば、ガス本支管４４内を撮像するカメラ、ガス本支管４４の内部での滞留水の有無を検知する水検知器、ガス本支管４４内の滞留水を抽出するポンプ、及びジャイロセンサの何れかから構成しても構わないし、それらの組み合わせから構成しても構わない。
【００３６】
（２）上記実施形態においては、挿入補助配管３０は、螺旋状挿入治具６０を挿入する挿入端から供内管４２との接続部までにおいて、回転挿入機構２０が設けられる基端側配管部３１と、先端側と基端側との間でのガスの流通を阻止する水封器として働く水封配管部３２と、内部を挿通する螺旋状挿入治具６０の水切り機能を有する屈曲配管部３３と、同じく内部を挿通する螺旋状挿入治具６０の水切り機能を有する縦配管部３４と、水封器への水を流入する水流入部及びガス圧を計測する圧力計３７を有する先端側配管部３８と、先端側配管部３８と供内管４２の接続部とを連通接続するフレキシブル接続配管部３５とを、記載の順に備えて構成されている例を示した。
しかしながら、基端側配管部３１及び先端側配管部３８は、特に設けなくても構わない。
また、回転挿入機構２０は、先端側配管部３８に設けても構わない。
更には、螺旋状挿入治具６０を挿入する挿入端から供内管４２との接続部までにおいて、水封配管部３２より供内管４２の接続部側であれば、屈曲配管部３３と縦配管部３４とは、何れを先に設けても構わない。
【００３７】
（３）上記実施形態において、螺旋状挿入治具６０の外径及び管内径、挿入補助配管３０を構成する水封配管部３２、屈曲配管部３３、縦配管部３４の夫々の管内径は、上記実施形態に示したものに限られず、適宜変更が可能である。
【００３８】
（４）上記実施形態において、水封配管部３２は、基端側から先端側へ順に、管軸方向が９０°屈曲する第１ベンド配管部３２ａと、直管形状の直管状配管部３２ｃと、管軸方向が９０°屈曲する第２ベンド配管部３２ｂとが設けられているものとしたが、第１ベンド配管部３２ａ及び第２ベンド配管部３２ｂは、管軸方向を９０°屈曲する構成でなくても構わないし、エルボのように曲率が大きくても構わない。
【００３９】
（５）上記実施形態において、屈曲配管部３３は、基端側から先端側へ順に、管軸方向が９０°屈曲する第１屈曲配管部位３３ａと、管軸方向が９０°屈曲する第２屈曲配管部位３３ｂとが設けられているものとした。更には、第１屈曲配管部位３３ａと第２屈曲配管部位３３ｂとは、図２、３に示すように、屈曲方向と同一方向側が直角であることが望ましいが、第２屈曲配管部位３３ｂは、紙面に垂直方向側に傾斜して直角であっても構わない。更には、第１屈曲配管部位３３ａは、図１、２、３に限定されず、紙面に垂直方向側に傾斜して直角であっても構わない。
尚、屈曲角度は、略９０°であれば良く、屈曲配管部位の数は、１つでも良く３つ以上でも構わない。また、第１屈曲配管部位３３ａ及び第２屈曲配管部位３３ｂは、管軸方向を４５°エルボ２個でトータル９０°程度の屈曲するものを採用することができる。
【００４０】
（６）上記実施形態において、縦配管部３４は、内部を挿通する螺旋状挿入治具６０を鉛直方向に沿う姿勢である直立姿勢にさせるものとし、その管軸方向が鉛直方向に一致している例を示した。
しかしながら、縦配管部３４は、その管軸が鉛直方向から４５°程度の範囲の方向に一致する構成を採用しても構わない。また、水切配管部としては、基端側が先端側より低い傾斜であれば略水平管であってもよく、この場合、水平管に溜まった水を除去する水抜き等を設ければよい。
【００４１】
（７）上記実施形態において、縦配管部３４は、第１小径縦配管部位３４ａ及び第２小径縦配管部位３４ｃを備える構成例を示したが、図３に示すように、これらを設けない構成を採用しても構わない。
更に、縦配管部３４の管内径Φ３は、屈曲配管部３３の管内径Φ２と同程度にしても構わない。
【００４２】
（８）上記実施形態において、水封配管部３２は、第１ベンド配管部３２ａと、直管状配管部３２ｃと、第２ベンド配管部３２ｂとを、備える構成例を示した。
しかしながら、水封配管部３２は、図３に示すように、直管状配管部３２ｃを設けず、管軸方向を１８０°変える１８０°ベンド配管部３２ａのみから成る構成を採用しても構わない。
【００４３】
（９）上記実施形態において、螺旋状挿入治具６０は、ガスバッグ５０のガスバッグ本体５０ａ等の管内操作具を外囲する先端側大径部６０ｂ及び６０ｃと、当該先端側大径部６０ｂ及び６０ｃへ基端側からの押込み力を伝達するための基端側小径部６０ｄとを、先端側から記載の順に備えている構成例を示した。
しかしながら、当該螺旋状挿入治具６０は、先端から基端まで同一外径及び同一内径に構成しても構わない。
また、先端側大径部は、単位軸長さ辺りの螺旋密度が低い螺旋低密度部位６０ｂと、螺旋密度が高い螺旋高密度部位６０ｃとを、有する構成例を示したが、別に、先端から基端まで螺旋密度を同一に構成しても構わない。
【００４４】
（１０）上記実施形態において、回転挿入機構２０を備える構成例を示したが、当該回転挿入機構２０は、備えなくても構わない。この場合、螺旋状挿入治具６０は、人為的に、軸心回りで回転させながら、挿入することになる。
【００４５】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００４６】
本発明の管内操作具案内装置、及びその操作方法は、水封器を挿入補助配管に設けてガスの漏出を防止する構成において、螺旋状挿入治具により外囲された管内操作具を挿入補助配管の水封器を介して、操作対象配管の内部に案内挿入する場合にも、水封器の水の操作対象配管の内部への流入を良好に防止し得る管内操作具案内装置、及びその操作方法として、有効に利用可能である。
【符号の説明】
【００４７】
２０      ：回転挿入機構
３０      ：挿入補助配管
３２      ：水封器（水封配管部）
３３      ：屈曲配管部
３３ａ    ：第１屈曲配管部位
３３ｂ    ：第２屈曲配管部位
３４      ：縦配管部（水切配管部）
３４ａ    ：小径縦配管部位
３４ｂ    ：大径縦配管部位
４２      ：供内管
４４      ：本支管
５０      ：ガスバッグ
５０ａ    ：ガスバッグ本体
５０ｂ    ：エア供給チューブ
６０      ：螺旋状挿入治具
１００    ：管内操作具案内装置
【図１】
0006635804.tif 000002
【図２】
0006635804.tif 000003
【図３】
0006635804.tif 000004